(57)【要約】【課題】研究機関等で各種データ（文書）を知的資産として活用するために用いられる文書管理システムにおいて、文書をフォルダに格納してフォルダをツリー表示する場合に、ユーザの希望する観点から文書を閲覧し、特定できるようにする。【解決手段】ユーザに、予め用意されたマスターファイルに記載されている各分類を、該分類の数に対応する数から成る階層のいずれかに割り当てさせる。次いで、選択された階層毎の分類に基づき、対応するフォルダ及び文書をツリー形式で表示するようにする。これにより、従来は固定されていた階層構造を自由に変更することが可能となる。【選択図】図１
2011170420.tif 000002
【特許請求の範囲】
【請求項１】
分類が記載されたメタデータを有する電子文書を管理するためのシステムであって、複数の文書を、それぞれの分類に対応したフォルダによってツリー表示する機能を備え、
a)分類と各分類を構成する項目とが少なくとも記載されたマスターファイルを保存するマスターファイル保存部と、
b)ユーザに、前記マスターファイル保存部に保存されているマスターファイルに記載された各分類を、該分類の数に対応する数から成る階層のいずれかに割り当てさせる階層分類選択部と、
c)前記階層分類選択部によって選択された階層毎の分類に基づき、対応するフォルダ及び文書をツリー形式で表示する階層表示変更部と、
を有することを特徴とする文書管理システム。
【請求項２】
ユーザによる指示に基づき、ある文書が、該文書が格納されているフォルダから他の異なるフォルダに移動された場合に、該文書のメタデータに記載されている分類を移動先のフォルダの分類に合わせて書き改める文書分類変更部
を更に備えることを特徴とする請求項１に記載の文書管理システム。
【請求項３】
分類が記載されたメタデータを有する電子文書を管理するシステム用のプログラムであって、複数の文書を、それぞれの分類に対応したフォルダによってツリー表示する機能を備え、
分類と各分類を構成する項目とが少なくとも記載されたマスターファイルを保存するマスターファイル保存部にアクセス可能なコンピュータを、
ユーザに、前記マスターファイル保存部に保存されているマスターファイルに記載された各分類を、該分類の数に対応する数から成る階層のいずれかに割り当てさせる階層分類選択部、
前記階層分類選択部によって選択された階層毎の分類に基づき、対応するフォルダ及び文書をツリー形式で表示する階層表示変更部、
として動作させることを特徴とする文書管理システム用プログラム。
【請求項４】
前記コンピュータを更に、
ユーザによる指示に基づき、ある文書が、該文書が格納されているフォルダから他の異なるフォルダに移動された場合に、該文書のメタデータに記載されている分類を移動先のフォルダの分類に合わせて書き改める文書分類変更部
として動作させることを特徴とする請求項３に記載の文書管理システム用プログラム。
【発明の詳細な説明】
【技術分野】
【０００１】
本発明は、電子文書を管理するシステム、及び、コンピュータにおいてそのようなシステムを構成するための文書管理プログラムに関する。
【背景技術】
【０００２】
研究開発の分野においては、論文などの研究開発の成果や、組織での研究活動結果に関する社会的説明責任の重要性がますます高まっている。これとともに、ナレッジマネジメント（知的資産の組織的共有による効率的な経営）の一環として、研究開発活動で生まれた知的資産を効果的に蓄積し、知識化・共有化を図りつつ、有効に活用することが重要となっている。
【０００３】
このような、特に研究開発業務を対象とした電子文書の記録管理システムは既に開発されて実用に供されている。例えば非特許文献１に記載の研究開発向け記録管理システムでは、記録管理の国際標準であるISO5489のガイドライン（文書は組織内での活動が正確に反映され、また業務の支援だけでなく説明責任の目的に使われなければならない）に則って開発されている。この記録管理システムでは、研究におけるドキュメントに加え、実験や分析・計測データなどの研究開発活動で生産される様々なコンテンツにメタデータを付加して記録化することができ、プロジェクトのメンバー間での情報共有や、過去のプロジェクトで得られた知見の検索などを効率的に行うことができる。
【先行技術文献】
【非特許文献】
【０００４】
【非特許文献１】水戸康敬、石橋功「研究開発向け記録管理システム“源藏”の開発」,島津評論, Vol. 64, No. 3・4 (2008.4), pp. 205-214
【発明の概要】
【発明が解決しようとする課題】
【０００５】
上述したシステムを含め、従来の文書管理システムでは、各文書（レコードなど、文書管理システムで管理される各種の電子文書のこと）は、例えば大分類→中分類→小分類、のように階層化された管理構造の下に分類されている。文書を閲覧する場合には、通常、大分類、中分類、小分類の３階層から成るフォルダがツリー形式で視覚化されて表示される。
【０００６】
しかし、このようなツリー形式によるファイル表示では、文書の閲覧の自由度に制限があるという問題があった。
【０００７】
一例として、大分類、中分類、小分類が以下のように設定されていた場合を考える。
大分類：「医薬品分析市場」、「環境分析市場」
中分類：「日本」、「米国」、「欧州」
小分類：「GC（ガスクロマトグラフ)」、「LC（液体クロマトグラフ）」、「GCMS（ガスクロマトグラフ質量分析装置）」、「LCMS（液体クロマトグラフ質量分析装置）」
この場合、医療品分析市場（大分類）→米国（中分類）→LCMS（小分類）とツリーを辿って文書を閲覧することはできても、医療品分析市場（大分類）→LCMS（小分類）→日本（中分類）のようにツリーを辿って文書を閲覧することはできない。
【０００８】
本発明が解決しようとする課題は、研究機関等で各種データ（文書）を知的資産として活用するために用いられる文書管理システムにおいて、文書をフォルダに格納してフォルダをツリー表示する場合に、ユーザの希望する観点から文書を閲覧し、特定できるようにする文書管理システム及び文書管理システム用プログラムを提供することである。
【課題を解決するための手段】
【０００９】
上記課題を解決するために成された本発明は、分類が記載されたメタデータを有する電子文書を管理するためのシステムであって、複数の文書を、それぞれの分類に対応したフォルダによってツリー表示する機能を備え、
a)分類と各分類を構成する項目とが少なくとも記載されたマスターファイルを保存するマスターファイル保存部と、
b)ユーザに、前記マスターファイル保存部に保存されているマスターファイルに記載された各分類を、該分類の数に対応する数から成る階層のいずれかに割り当てさせる階層分類選択部と、
c)前記階層分類選択部によって選択された階層毎の分類に基づき、対応するフォルダ及び文書をツリー形式で表示する階層表示変更部と、
を有することを特徴とする。
【００１０】
また、分類が記載されたメタデータを有する電子文書を管理するシステム用のプログラムであって、複数の文書を、それぞれの分類に対応したフォルダによってツリー表示する機能を備え、
分類と各分類を構成する項目とが少なくとも記載されたマスターファイルを保存するマスターファイル保存部にアクセス可能なコンピュータを、
ユーザに、前記マスターファイル保存部に保存されているマスターファイルに記載された各分類を、該分類の数に対応する数から成る階層のいずれかに割り当てさせる階層分類選択部、
前記階層分類選択部によって選択された階層毎の分類に基づき、対応するフォルダ及び文書をツリー形式で表示する階層表示変更部、
として動作させることを特徴とする。
【発明の効果】
【００１１】
本発明に係る文書管理システム及び文書管理プログラムによれば、ツリー表示における階層の分類を、ユーザが自由に変更することができる。従って、ユーザの興味のある角度からフォルダの階層を組み立てることにより、文書をより簡単に管理し、このような知的資産を一層効果的に活用することが可能となる。また、ユーザが必要としている文書をより素早く見つけることができるから、操作性の向上も図ることができる。
【図面の簡単な説明】
【００１２】
【図１】本発明に係る文書管理システムの一実施形態の概略構成を示す図。
【図２】マスターファイルの一例。
【図３】階層分類選択画面の一例。
【図４】本発明に係る文書管理システムにおけるフォルダの表示例。
【発明を実施するための形態】
【００１３】
以下、本発明に係る文書管理システムの実施形態の例を図面を参照しつつ詳細に説明する。
【００１４】
図１に、本発明に係る文書管理システム１の一実施形態を示す。文書管理システム１の実態はコンピュータであり、中央演算処理装置であるＣＰＵ（Central Processing Unit）１０にメモリ１２、ＬＣＤ（Liquid Crystal Display）等から成るモニタ（表示部）１４、キーボードやマウス等から成る入力部１６、ハードディスク等の大容量記憶装置から成る記憶部２０が互いに接続されている。
記憶部２０には、文書管理システム用プログラム２１、文書保存部２２、マスターファイル保存部２３が設けられている。記憶部２０にはまた、ＯＳ（Operating System）２４が記憶されている。
【００１５】
本発明に係る文書管理システム１を示している図１においては、文書管理システム用プログラム２１に係るように、階層分類選択部３１、階層表示変更部３２、及び文書分類変更部３２が示されている。これらの階層分類選択部３１、階層表示変更部３２、文書分類変更部３２は、いずれも基本的にはＣＰＵ１０が文書管理システム用プログラム２１を実行することによりソフトウエア的に実現される。なお、以下では適宜、文書管理システム用プログラム２１を単に「プログラム２１」と略記する。
【００１６】
文書保存部２２には、文書管理システム１が管理する種々のファイルが格納されている。本発明において言う「文書」は、例えば分析、測定の結果や研究の成果がまとめられたレポートをはじめ、様々なファイルのことを指すものとする。各文書には、その文書がどの分類に属しているかが記載されたメタデータが含まれている。
【００１７】
マスターファイル保存部２３には、マスターファイルが保存されている。このマスターファイルには、文書管理システム１において利用する分類と、各分類を構成する項目とが少なくとも記載されている。
図２に、マスターファイルの一例を示す。図２のマスターファイルでは、分類として、「大分類」、「中分類」、「小分類」の３つの分類が規定されている。そして、「大分類」という分類は「医薬品分析市場」、「環境分析市場」という２つの項目によって構成されており、「中分類」という分類は「日本」、「米国」、「欧州」という３つの項目によって構成されており、「小分類」という分類は「LC」、「GC」、「GCMS」、「LCMS」という４つの項目によって構成されていることが規定されている。
【００１８】
図１に示す例では、文書保存部２２及びマスターファイル保存部２３が、実体がコンピュータである文書管理システム１の記憶部２０に格納されているが、これら文書保存部２２及び／又はマスターファイル保存部２３は、文書管理システム１を構成するコンピュータに対してデータ通信可能に接続されていても、もちろん構わない。
【００１９】
文書管理システム１は、文書保存部２２に保存されている複数の文書を、それぞれの分類に対応したフォルダによってツリー表示する機能を備えている。例えば、ユーザが入力部１６を適宜操作してモニタ１４上に表示されている図示せぬ「フォルダ表示」ボタンを押下することにより、文書管理システム１はモニタ１４における所定の位置に、フォルダをツリー形式で表示する。このツリー表示においては、階層形態を有するフォルダの各階層が、マスターファイルに規定されている各分類に対応する。
【００２０】
図２に示すマスターファイルに基づき、「大分類」が第１階層、「中分類」が第１階層の直下階層である第２階層、「小分類」が第２階層の直下階層である第３階層であるという設定の下でツリー表示を行う場合には、図４の（Ａ）のように、各フォルダがモニタ１４上の所定のウィンドウに表示される。図４（Ａ）に示されたフォルダの構成の場合、ユーザは、大分類→中分類→小分類という順序で分類を辿り、目的とする又は興味のある文書を特定する。
【００２１】
以下、本発明における特徴的な構成である階層分類選択部３１及び階層表示変更部３２の動作について説明する。
【００２２】
ユーザが入力部１６を適宜操作（例えば画面に表示されている「階層分類選択」ボタンを押下する）と、階層分類選択部３１は、図３に示すような階層分類選択画面をモニタ１４の所定の位置に表示する。階層分類選択部３１は、マスターファイル保存部２３に保存されているマスターファイルに記載された分類（「大分類」、「中分類」、「小分類」）が３種類であることに基づき、第１階層、第２階層、第３階層という、分類の数に対応する数の階層のそれぞれに対し、分類をユーザが割り当てることができるように表示する。図３に示す階層分類選択画面では、プルダウンメニューを用いて、ユーザが第１階層に「大分類」、第２階層に「小分類」、第３階層に「中分類」を割り当てた例が示されている。異なる階層に同一の分類を割り当てることはできないため、万一、そのような設定がされた場合には、割り当てが無効である旨の警告を表示することができる。または、上位の階層から下位の階層に向かって一段階ずつ割り当てを許可し、既に割り当てられた分類については選択できないよう構成してもよい。
【００２３】
次いで、ユーザが入力部１６を適宜操作（例えば画面に表示されている「階層表示変更」ボタンを押下する）と、階層表示変更部３２は、階層分類選択部３１によって選択された各階層の分類に基づき、対応するフォルダ（及び文書）をツリー形式で表示する。例えば図４の（Ｂ）のように各フォルダをモニタ１４の所定のウィンドウに表示する。この図４（Ｂ）に示されたフォルダの構成の場合、ユーザは大分類→小分類→中分類という、図４（Ａ）に示されたフォルダの構成の場合とは異なる順序で分類を辿ることができる。
【００２４】
以上、本発明に係る文書管理システムについて実施例を用いて説明したが、本発明の趣旨の範囲内で適宜に変更や修正、又は追加を行っても構わない。
【００２５】
例えば、ユーザによる指示に基づき、ある文書が、その文書が格納されているフォルダから他の異なるフォルダに移動された場合に、その文書のメタデータに記載されている分類を移動先のフォルダの分類に合わせて書き改める文書分類変更部３３を設けることもできる。これにより、より柔軟に文書の管理を行うことが可能となる。
なお、文書管理システム１は、文書が移動されたことに基づき、これを移動履歴として記録することが望ましい。
【００２６】
また、図４においては全てのフォルダが展開された状態が示されているが、もちろん、一般的に知られているオペレーティングシステムのように、フォルダを折り畳んだり展開させたりできるようにしてもよい。
【００２７】
さらにまた、各フォルダの横に、そのフォルダの内部にある文書の数を表示させる等、各種のユーザが使い易い環境を提供することができる。
【符号の説明】
【００２８】
１…文書管理システム
１０…ＣＰＵ
１２…メモリ
１４…モニタ
１６…入力部
２０…記憶部
２１…文書管理システム用プログラム
２２…文書保存部
２３…マスターファイル保存部
２４…ＯＳ
３１…階層分類選択部
３２…階層表示変更部
３３…文書分類変更部
【図１】
2011170420.tif 000003
【図２】
2011170420.tif 000004
【図３】
2011170420.tif 000005
【図４】
2011170420.tif 000006